(57)【要約】【課題】電子カルテと患者や医師のイベント情報とを連動させて情報を交換することができるクリニカルコミュニケーション装置及び病院情報システムを提供すること。【解決手段】電子カルテ用情報抽出部１３は、電子カルテ用データベース３から電子カルテ用情報を抽出して、情報更新部１５及び／又は表示制御部１６に送る。クリニカルコミュニケータ用情報抽出部１４は、クリニカルコミュニケータ用データベース４からクリニカルコミュニケータ用情報を抽出して、情報更新部１５及び／又は表示制御部１６に送る。表示制御部１６は、電子カルテ用情報及びクリニカルコミュニケーション情報を連動して表示させる。【選択図】図２
2007249251.tif 000002
【特許請求の範囲】
【請求項１】
少なくともクリニカルパス、患者のカルテ情報、及び患者の経過表を含む電子カルテ用情報を電子カルテ用データベースから抽出する電子カルテ用情報抽出手段と、少なくとも患者のイベント情報、医療従事者のイベント情報、及び医療従事者のメッセージを含むクリニカルコミュニケーション情報をクリニカルコミュニケータ用データベースから抽出するクリニカルコミュニケータ用情報抽出手段と、入力にしたがって前記電子カルテ用情報及び／又はクリニカルコミュニケーション情報を更新する情報更新手段と、前記電子カルテ用情報及びクリニカルコミュニケーション情報を連動して表示させる表示制御手段と、を具備することを特徴とするクリニカルコミュニケーション装置。
【請求項２】
前記電子カルテ用情報は、診断情報及びオーダー情報を含み、前記表示制御手段は、前記患者のイベント情報及び／又は医療従事者のイベント情報を含むスケジュール表を作成し、前記スケジュール表から前記診療録、オーダー情報、経過表及び／又はクリニカルパスを表示させることを特徴とする請求項１記載のクリニカルコミュニケーション装置。
【請求項３】
前記情報更新手段は、前記医療従事者間で交換する情報に重要度を設定することを特徴とする請求項１又は請求項２記載のクリニカルコミュニケーション装置。
【請求項４】
前記表示制御手段は、患者のイベント及び／又は医療従事者のイベントの実施予定時刻を経過したときに警告を発することを特徴とする請求項１から請求項３のいずれか一項記載のクリニカルコミュニケーション装置。
【請求項５】
少なくともクリニカルパス情報、患者のカルテ情報、及び患者の経過表を含む電子カルテ用情報を格納する電子カルテ用データベースと、少なくとも患者のイベント情報、医療従事者のイベント情報、及び医療従事者のメッセージを含むクリニカルコミュニケーション情報をクリニカルコミュニケータ用データベースと、前記電子カルテ用データベース及び前記クリニカルコミュニケーション用データベースと通信回線を通じて接続された請求項１から請求項４のいずれか一項記載のクリニカルコミュニケーション装置と、を具備することを特徴とする病院情報システム。
【発明の詳細な説明】
【技術分野】
【０００１】
本発明はクリニカルコミュニケーション装置及び病院情報システムに関し、特に電子カルテと患者や医師のイベント情報とを連動させて情報を交換することができるクリニカルコミュニケーション装置及び病院情報システムに関する。
【背景技術】
【０００２】
最近、電子カルテシステムを導入している、あるいはその導入を検討している病院が増えてきている。電子カルテシステムは、医師の診療録をはじめとして検体検査結果、画像診断情報、看護記録など様々な臨床情報を取扱う情報管理システムである。電子カルテシステムが導入されている施設では、臨床情報の管理と共に医師、看護師など医療従事者間のコミュニケーションを促進するため、市販のグループウェアを導入しているところも少なくない。
【０００３】
また、電子カルテシステムのような情報管理システムを導入されている施設の中には、クリニカルパスなどの工程管理ツールを導入する施設も増えてきた。クリニカル・パスは、クリティカル・パスという産業界の製造工程表の医療への応用であり、ケア・マップ、ケア・パスという別称もある。クリニカル・パスは、「一定の疾患をもつ患者に対して特定の結果（outcome）をうるため、医療チームによって行わなければならない必要不可欠（critical）な仕事内容と最も望ましい実施順序・実施時期とについて一覧表にまとめたもの」である。これは、製造業における業務管理・時間管理・コスト管理という工程管理を医療に当てはめる考え方であり、効率化による成果の保証・在院日数の短縮・費用の削減が図れると考えられている。
【０００４】
多くの施設に導入されているクリニカルパスは、縦軸に予定実施項目、横軸に日にちが設定され、入院から退院までの日々の実施予定項目が記載されているマトリックスになっている。入院から何日目にどのような医療行為をするか、あるいは手術日の何日前までにはどのようなことが終了している必要があるか、といった実施予定は、過去の実績や目標から設定されている。クリニカルパスは、大腿骨置換術、ＣＡＢＧ（冠動脈バイバス術）用パスといったように、比較的標準化が図りやすく、突発的なイベントが発生しにくく、かつ、症例数が多い場合に適用されているが、最近多くの急性期病院では、平均在院日数の更なる短縮化が求められており、クリニカルパスのような工程管理ツールの適用を拡大する症例も増えてきている。
【発明の開示】
【発明が解決しようとする課題】
【０００５】
しかしながら、現在多くの施設で使用されているクリニカルパスは、標準的な予定であり、一旦予定外の事例が発生した場合、現状における最適、最短の工程となるような再スケジューリング機能、コーディネーションの機能を持っているものはない。例えば、ＣＴなどの画像検査結果を確認してから退院の最終判断を行うというクリニカルパスがあるとし、患者の状態が急変したために、ＣＴ検査を予定通り実施できなかった場合、自動的にパスを一日伸ばすとか、任意の日に当該検査を再設定することができるようにはなっているが、ＣＴ検査の予約状況や医師ら医療従事者のその後の予定などを確認した上での再スケジューリングを行うものではなく、本当に最適なスケジュールを再設定することができない。
【０００６】
また、市販されているグループウェアは、電子カルテシステムとは独立して運用されて、相互に情報を連携するものではないため、電子カルテシステム上のクリニカルパスの内容をカット＆ペーストなどで必要な情報を再入力することが求められ、非常に煩雑である。
【０００７】
本発明はかかる点に鑑みてなされたものであり、電子カルテと患者や医師のイベント情報とを連動させて情報を交換することができるクリニカルコミュニケーション装置及び病院情報システムを提供することを目的とする。
【課題を解決するための手段】
【０００８】
本発明のクリニカルコミュニケーション装置は、少なくともクリニカルパス、患者のカルテ情報、及び患者の経過表を含む電子カルテ用情報を電子カルテ用データベースから抽出する電子カルテ用情報抽出手段と、少なくとも患者のイベント情報、医療従事者のイベント情報、及び医療従事者のメッセージを含むクリニカルコミュニケーション情報をクリニカルコミュニケータ用データベースから抽出するクリニカルコミュニケータ用情報抽出手段と、入力にしたがって前記電子カルテ用情報及び／又はクリニカルコミュニケーション情報を更新する情報更新手段と、前記電子カルテ用情報及びクリニカルコミュニケーション情報を連動して表示させる表示制御手段と、を具備することを特徴とする。
【０００９】
この構成によれば、電子カルテ用情報及びクリニカルコミュニケーション情報を連動して表示させるので、医療従事者間のコミュニケーションが促進され、患者の現状の状態に的確、迅速に対応することができ、患者への最適なパスを設定することができる。これにより、質の高い医療が提供できるようになる。
【００１０】
本発明のクリニカルコミュニケーション装置においては、前記電子カルテ用情報は、診断情報及びオーダー情報を含み、前記表示制御手段は、前記患者のイベント情報及び／又は医療従事者のイベント情報を含むスケジュール表を作成し、前記スケジュール表から前記診療録、オーダー情報、経過表及び／又はクリニカルパスを表示させることが好ましい。
【００１１】
本発明のクリニカルコミュニケーション装置においては、前記情報更新手段は、前記医療従事者間で交換する情報に重要度を設定することが好ましい。
【００１２】
本発明のクリニカルコミュニケーション装置においては、前記表示制御手段は、患者のイベント及び／又は医療従事者のイベントの実施予定時刻を経過したときに警告を発することが好ましい。
【００１３】
本発明の病院情報システムは、少なくともクリニカルパス情報、患者のカルテ情報、及び患者の経過表を含む電子カルテ用情報を格納する電子カルテ用データベースと、少なくとも患者のイベント情報、医療従事者のイベント情報、及び医療従事者のメッセージを含むクリニカルコミュニケーション情報をクリニカルコミュニケータ用データベースと、前記電子カルテ用データベース及び前記クリニカルコミュニケーション用データベースと通信回線を通じて接続された上記のクリニカルコミュニケーション装置と、を具備することを特徴とする。
【００１４】
この構成によれば、医療従事者や病院内のイベントを参照しながら、また、医療従事者から提供される情報を確認しながらスケジュール管理ができるので、現実に即した工程管理が可能となる。
【発明の効果】
【００１５】
本発明によれば、電子カルテ用情報及び／又はクリニカルコミュニケーション情報を連動して表示させることができるので、医師、看護師、薬剤師、セラピスト、その他医療従事者が患者の情報を中心に医療従事者間で必要な情報を共有することができる。また、本発明によれば、チーム医療を促進する多職種間のコミュニケーションを行うことが可能となる。さらに、本発明によれば、患者の治療計画の中で予定されている主なイベント、医師や看護師などの医療従事者個人のスケジュール、及び院内の予定行事などを統合的に表示することができ、これにより現実的な治療計画を立案することができる。
【発明を実施するための最良の形態】
【００１６】
クリニカルパスという最適化を図る工程管理ツールが導入されているが、現在のクリニカルパスの機能的な問題が大きく、本格的に運用している施設は少ない。本発明者らは、工程管理ツールを検討し始めた。しかしながら、クリニカルパスという一つの機能で解決できる問題ではなく、他の機能との密接な連携が前提である。この技術を実現するためのコスト、その元になるテンプレート的な情報などを実現するための障害は大きく、今取り組むには大きすぎる。
【００１７】
そこで、本発明者らは、工程管理という切り口から少し見方を変え、チーム医療を促進するためのツールを考えた。そこで本発明に係るクリニカルコミュニケーション装置（クリニカルコミュニケータ）を発明するに至った。すなわち、本発明者らは、臨床アプリケーションとグループウェアとを統合させて、電子カルテと患者や医師のイベント情報とを連動させて情報を交換するという新たな機能を見出した。
【００１８】
以下、本発明の一実施の形態に係るクリニカルコミュニケーション装置及び病院情報システムについて添付図面を参照して詳細に説明する。図１は、本発明の一実施の形態に係る病院情報システムの概略構成を示す図である。また、図２は、本発明の一実施の形態に係るクリニカルコミュニケーション装置の概略構成を示す図である。
【００１９】
図１に示す病院情報システムは、本発明に係るクリニカルコミュニケーション装置１と、少なくともクリニカルパス情報、患者のカルテ情報、及び患者の経過表を含む電子カルテ用情報を格納する電子カルテ用データベース３と、少なくとも患者のイベント情報、医療従事者のイベント情報、及び医療従事者のメッセージを含むクリニカルコミュニケーション情報をクリニカルコミュニケータ用データベース４と、を備えている。これらのクリニカルコミュニケーション装置１，２と、電子カルテ用データベース３及び／又はクリニカルコミュニケータ用データベース４とは、通信回線５により接続されている。この通信回線５は、ＬＡＮやインターネットなどのネットワークを含む。
【００２０】
クリニカルコミュニケーション装置１，２は、デスクトップパソコンでも良く、ノートパソコン、ＰＤＡ（Personal
Digital Assistant）又は携帯電話のようなモバイル機器でも良い。クリニカルコミュニケーション装置２がモバイル機器である場合には、通信回線は無線回線６である。また、クリニカルコミュニケーション装置としてモバイル機器を用いる場合、電子カルテ用情報及びクリニカルコミュニケータ用情報が閲覧のみできるようになっていても良い。
【００２１】
図１においては、電子カルテ用データベース３とクリニカルコミュニケータ用データベース４とを別体で構成する場合について説明しているが、本発明においては、電子カルテ用データベース３及びクリニカルコミュニケータ用データベース４を同じデータベース内で管理するように構成しても良い。
【００２２】
クリニカルコミュニケーション装置は、図２に示すように、装置全体を制御する制御部１１と、必要な情報を通信回線５，６を介して送受信する通信制御部１２と、電子カルテ用データベース３から電子カルテ用情報を抽出する電子カルテ用情報抽出部１３と、クリニカルコミュニケータ用データベース４からクリニカルコミュニケータ用情報を抽出するクリニカルコミュニケータ用情報抽出部１４と、入力部１８からの入力にしたがって電子カルテ用情報及び／又はクリニカルコミュニケータ用情報の更新を行う情報更新部１５と、電子カルテ用情報及び／又はクリニカルコミュニケータ用情報をディスプレイ１７に表示する際の表示制御を行う表示制御部１６とから主に構成されている。
【００２３】
電子カルテ用データベース３は、少なくともクリニカルパス（治療計画）、患者のカルテ情報、及び患者の経過表を含む電子カルテ用情報を格納する。クリニカルパスに関する情報としては、注射、処方、検査、処置などの治療実施計画が挙げられる。このクリニカルパスに関する情報は、複雑な症例あるいは緊急入院などの場合を除き、治療の標準化及びコスト削減を目的として患者毎に設定される。
【００２４】
患者のカルテ情報は、医師診療録２号用紙情報である。患者のカルテ情報としては、診療録などの診断情報、診察時に出した注射、処方、検査などのオーダー情報及びそれらの過去の履歴などが挙げられる。また、患者の経過表（フローシート）の情報としては、バイタルサイン（心拍数、血圧、体温、呼吸数など）情報、Ｉｎ／Ｏｕｔ情報（輸液、尿量、出血など）、観察情報（意識状態、皮膚の状態など）、処置実施結果、注射・処方実施結果、検査結果（血液ガス、生化学など）などが挙げられる。これらの情報は、推移傾向が分かる形式で表示されることが望ましい。
【００２５】
また、その他の電子カルテ用情報としては、看護情報、経過記録（看護上の問題点、対策、結果などをＳＯＡＰ（Subject、Object、Assessment、Plan）あるいはＤＡＲ（Data、Action、Response）などの形式でまとめたもの）、画像情報（ＭＲ、ＣＴ、Ｘ線などの画像検査結果）などが挙げられる。
【００２６】
クリニカルコミュニケータ用データベース４は、少なくとも患者のイベント情報、医療従事者のイベント情報、及び医療従事者のメッセージを含むクリニカルコミュニケーション情報を格納する。患者のイベント情報としては、クリニカルパスで設定された計画情報のうち、治療計画上、重要度の高いイベント情報、例えば、手術、術前検査、ウィーニング予定日、退院予定日などが挙げられる。
【００２７】
医療従事者のイベント情報としては、例えば医師が学会で不在であるとか、院内で会議に出席するとかの情報が挙げられる。医療従事者のメッセージとしては、例えば患者の状態、看護師から医師へあるいは医師から看護師、介護士又はセラピストなどに伝える情報が挙げられる。これらのメッセージは、電子メール形式で送受信することが好ましい。電子メールにより、医療従事者間で情報を簡単に交換できる。また、新着メール、未確認メールを知らせるリマインダ機能を備えることが好ましい。
【００２８】
また、その他のクリニカルコミュニケーション情報としては、電子カルテサーバに格納されている電子カルテ用情報を呼び出すインデックス、例えば患者情報（ＩＤ、氏名、表示する日付など）を挙げることができる。
【００２９】
図２における通信制御部１２は、図１におけるクリニカルコミュニケーション装置１，２と、電子カルテ用データベース３及び／又はクリニカルコミュニケータ用データベース４との間で電子カルテ用情報及び／又はクリニカルコミュニケータ用情報の送受信を制御する。
【００３０】
電子カルテ用情報抽出部１３は、電子カルテ用データベース３から電子カルテ用情報を抽出して、情報更新部１５及び／又は表示制御部１６に送る。クリニカルコミュニケータ用情報抽出部１４は、クリニカルコミュニケータ用データベース４からクリニカルコミュニケータ用情報を抽出して、情報更新部１５及び／又は表示制御部１６に送る。
【００３１】
情報更新部１５は、入力部１８を介して入力された電子カルテ用情報を電子カルテ用データベース３に更新し、クリニカルコミュニケータ用情報をクリニカルコミュニケータ用データベース４に更新する。これらの更新情報は、通信制御部１２を介して通信回線５，６を通って電子カルテ用データベース３又はクリニカルコミュニケータ用データベース４に送られる。
【００３２】
また、情報更新部１５は、必要に応じて医療従事者間で交換する情報に重要度を設定したり、医療従事者が情報を確認したかどうかの状況を表示する（確認済み、未確認）。このような機能を有することにより、医療従事者が情報の重要度や情報確認済みかどうかを簡単に認識することができる。
【００３３】
表示制御部１６は、電子カルテ用情報及びクリニカルコミュニケーション情報を連動して表示させる。例えば、表示制御部１６は、患者のイベント情報及び／又は医療従事者のイベント情報を用いてスケジュール表を作成する。そして、表示制御部１６は、このスケジュール表から診療録、オーダー情報、経過表及び／又はクリニカルパスを表示させる。このように、患者のイベントや病院内イベントと、医療従事者のスケジュールを重ねて表示させることができる、すなわちスケジュール表から電子カルテ用情報や経過表を表示させることができるので、電子カルテ用情報及びクリニカルコミュニケーション情報を相互に交換することができる。
【００３４】
また、表示制御部１６は、必要に応じて、患者のイベント及び／又は医療従事者のイベントの実施予定時刻を経過したときに警告を発する。これにより、医療従事者にイベント実施又はイベント中止を知らせることが可能となる。なお、この警告は、画面に色を付けて表示したり、文字を大きくして表示したりして行っても良く、警告音を発して行っても良い。
【００３５】
このように本実施の形態のクリニカルコミュニケーション装置を用いた病院情報システムにおいては、医療従事者間のコミュニケーションが促進され、患者の現状の状態に的確、迅速に対応することができ、患者への最適なパスを設定することができる。これにより、質の高い医療が提供できるようになる。また、医療従事者や病院内のイベントを参照しながら、また、医療従事者から提供される情報を確認しながらスケジュール管理ができるので、現実に即した工程管理が可能となる。さらに、スケジュール表から診療録、オーダリング、経過記録、クリニカルパス、看護計画、及び勤務表などの他の機能や、予約システムなどの他のシステムを呼び出すことにより、思考過程を妨げることなく、流れるように必要な情報にアクセスすることができ、業務効率化を支援することが可能となる。
【００３６】
また、この病院情報システムにより、将来的には、患者及び患者家族との円滑なコミュニケーションを図ることができ、ホームケアや地域連携、患者を取り込んだチーム医療の実現を図ることもできる。
【００３７】
次に、上記構成を有するクリニカルコミュニケーション装置の実際の動作手順について説明する。図３から図１０は、本発明の一実施の形態に係るクリニカルコミュニケーション装置の操作手順を説明するためのフロー図である。また、図１１から図１５は、本発明の一実施の形態に係るクリニカルコミュニケーション装置の操作の際の表示画面を示す図である。
【００３８】
図３において、クリニカルコミュニケーション装置でログインすると（ＳＴ１０１）、図１１に示すように、ログインした医師の受持ち患者のコミュニケータ画面（予定表）が表示される（ＳＴ１０２）。予定表における白丸印や黒丸印は、医師、看護師、薬剤師などから送られてきたメッセージが存在することを示す。図１１に示す画面は、スケジュール表にイベントが表示され、メッセージ印が表示されている。また、右側には、図１５に示すようなログインした医師の個人的なスケジュールや病院内のイベントのみを表示されたスケジュール表が表示されている。このようなスケジュール表を、スケジュール表の下部に表示することにより、患者の主なイベントと比較することができる。なお、スケジュール表中には、優先順位に応じて主なイベントが表示されている。また、スケジュール表の表示は１週間単位、１か月単位で選択的に表示させることができる。
【００３９】
メッセージの重要度に応じて、表示色、表示マーカを変えている。また、メッセージの内容が確認済みか未確認かもマーカの表示色、形式により確認できるようになっている。未確認メッセージがある場合には、図１１に示すように、画面中で未確認メッセージがあることを伝える。確認ボタンをクリックすることにより、図１２に示すように、メッセージの確認画面が表示される。なお、医療従事者間で交換するメッセージは、必要に応じてカット＆ペーストで診療録や看護記録にコピーすることができる。
【００４０】
指定された日のメッセージボックスをクリックすると（ＳＴ１０３）、メッセージが音声であるか文字であるかを選択する（ＳＴ１０４）。文字を選択すると、メッセージを画面に表示する（ＳＴ１０５）。次いで、そのメッセージでよければ確認ボタンを押す（ＳＴ１０６）。
【００４１】
メッセージに対しては電子メールで返信が可能である。返信を行う場合には、画面の返信ボタンを押し（ＳＴ１０７）、あて先を選択する（ＳＴ１０８）。そして、メッセージの件名及びその内容を作成する（ＳＴ１０９）。その後、メッセージの重要度について選択した（ＳＴ１１０）後に、図１４に示すように、メッセージを送信する（ＳＴ１１１）。これによりメッセージが電子メールで送信される。
【００４２】
また、保存したい文章がある場合には、その文章を選択し（ＳＴ１１２）、マウスの右ボタンをクリックする（ＳＴ１１３）。このとき、図４に示すように、切り取りボタンをクリックするか（ＳＴ２０１）、コピーボタンをクリックするか（ＳＴ２０２）、削除ボタンをクリックするか（ＳＴ２０３）、全て選択ボタンをクリックする（ＳＴ２０４）。いずれかのボタンをクリックした後に閉じるボタンをクリックする（ＳＴ２０５）。
【００４３】
メッセージを削除する場合には、画面の削除ボタンをクリックする（ＳＴ１１４）。このとき、画面には確認メッセージが表示され（ＳＴ１１５）、「はい／いいえ」を選択する（ＳＴ１１６）。そして、「はい」を選択すると、メッセージが削除される（ＳＴ１１７）。メッセージ表示画面での操作が終了したときには、閉じるボタンをクリックする（ＳＴ１１８）。
【００４４】
メッセージに音声を選択すると、図５に示すように、音声の再生を行い（ＳＴ３０１）、音声の再生中に停止ボタンを押すかどうかを判断して（ＳＴ３０４）、音声再生を停止しなければ音声の再生を続ける（ＳＴ３０５）。音声を削除するときには、削除ボタンをクリックする（ＳＴ３０２）。また、音声再生を終了するときには、閉じるボタンをクリックする（ＳＴ３０３）。
【００４５】
図３に戻って、新規メッセージボタン又は指定された日のメッセージエリアの空白部分をクリックすると（ＳＴ１１９）、メニュー画面が表示される（ＳＴ１２０）。メニュー画面においては、図６に示すように、「文字／音声／キャンセル」のいずれかを選択する（ＳＴ４０１）。文字を選択するときは、文字ボタンをクリックし（ＳＴ４０２）、あて先を選択し（ＳＴ４０３）、メッセージの件名及び内容を作成し（ＳＴ４０４）、重要度を選択して送信する（ＳＴ４０５，ＳＴ４０６）。
【００４６】
音声を選択するときは、音声ボタンをクリックし（ＳＴ４０７）、あて先を選択し（ＳＴ４０８）、メッセージを録音し（ＳＴ４０９）、重要度を選択して送信する（ＳＴ４１０，ＳＴ４１１）。また、キャンセルするときには、キャンセルボタンをクリックする（ＳＴ４１２）。
【００４７】
図３に戻って、指定された日の患者イベントをクリックすると（ＳＴ１２１）、イベント画面が表示される（ＳＴ１２２）。イベント画面においては、図７に示すように、「非リンク予定／リンク予定／閉じる」のいずれかを選択する（ＳＴ５０１）。非リンクを選択する場合、イベント内容の確認を行う（ＳＴ５０２）。このとき、イベント内容画面の「修正／削除／閉じる」を選択する（ＳＴ５０４）。修正を選択するときには、図１３に示すように、内容の修正を行い（ＳＴ５０５）、その修正内容を装置に保存する（ＳＴ５０６）。削除を選択するときには、イベント削除ボタンをクリックする（ＳＴ５０７）。また、操作を終了するときには閉じるボタンをクリックする（ＳＴ５１０）。一方、リンクを選択する場合、イベント内容の確認を行い（ＳＴ５０３）、操作を終了するときには閉じるボタンをクリックする（ＳＴ５１０）。
【００４８】
図３に戻って、指定された日でマウスの右ボタンをクリックすると（ＳＴ１２３）、メニュー画面が表示される（ＳＴ１２４）。メニュー画面においては、図８に示すように、「診療録／経過表／…／閉じる」を選択する（ＳＴ６０１）。診療録を選択すると、診療録画面が表示され（ＳＴ６０２）、診療録画面で操作が行われる。診療録画面での操作が終了したら診療録画面を閉じる（ＳＴ６０３）。経過表を選択すると、経過表画面が表示され（ＳＴ６０３）、経過表画面で操作が行われる。経過表画面での操作が終了したら経過表画面を閉じる（ＳＴ６０６）。その他の画面を選択すると、その他の画面が表示され（ＳＴ６０４）、その他の画面で操作が行われる。その他の画面での操作が終了したらその他の画面を閉じる（ＳＴ６０７）。操作を終了するときには、閉じるボタンをクリックする（ＳＴ６０８）。
【００４９】
図３に戻って、患者選択ボタンをクリックすると（ＳＴ１２５）、患者選択メニュー画面が表示される（ＳＴ１２６）。患者選択メニュー画面においては、図９に示すように、「継続／閉じる」を選択する（ＳＴ７０１）。患者選択を継続すると、病棟／診療科が表示される（ＳＴ７０２）。この画面で患者を選択する（ＳＴ７０３）。患者を選択した後に、ＯＫ／キャンセルを選択する（ＳＴ７０４）。ＯＫを選択すると、選択した患者のコミュニケータ画面が表示される（ＳＴ７０５）。患者選択メニュー画面において、操作を終了するときには閉じるボタンをクリックする（ＳＴ７０６）。
【００５０】
図３に戻って、医師、看護師、その他の職種のイベントウィンドウをクリックすると（ＳＴ１２７）、イベントウィンドウが表示される（ＳＴ１２８）。イベントウィンドウにおいては、図１０に示すように、「継続／閉じる」を選択する（ＳＴ８０１）。継続を選択すると、イベントの設定を行う（ＳＴ８０２）。イベントを設定した後に、ＯＫ／キャンセルを選択する（ＳＴ８０３）。ＯＫを選択すると、新しいイベント画面が表示される（ＳＴ８０４）。イベントウィンドウにおいて、操作を終了するときには閉じるボタンをクリックする（ＳＴ８０５）。
【００５１】
この他、クリニカルコミュニケーション装置は、ある日付けの医師の診療録、オーダー歴、フローシート（経過表）を呼び出すことができ、臨床検査結果や画像検査結果などを呼び出て、表示することができる。
【００５２】
本発明は上記実施の形態に限定されず、種々変更して実施することができる。例えば、クリニカルコミュニケーション装置における画面構成や表示項目については一例であり、これに限定されず種々変更して実施することができる。また、表示画面における数値や薬品名についてもこれらに限定されない。
【図面の簡単な説明】
【００５３】
【図１】本発明の一実施の形態に係る病院情報システムの概略構成を示す図である。
【図２】本発明の一実施の形態に係るクリニカルコミュニケーション装置の概略構成を示す図である。
【図３】本発明の一実施の形態に係るクリニカルコミュニケーション装置の操作手順を説明するためのフロー図である。
【図４】本発明の一実施の形態に係るクリニカルコミュニケーション装置の操作手順を説明するためのフロー図である。
【図５】本発明の一実施の形態に係るクリニカルコミュニケーション装置の操作手順を説明するためのフロー図である。
【図６】本発明の一実施の形態に係るクリニカルコミュニケーション装置の操作手順を説明するためのフロー図である。
【図７】本発明の一実施の形態に係るクリニカルコミュニケーション装置の操作手順を説明するためのフロー図である。
【図８】本発明の一実施の形態に係るクリニカルコミュニケーション装置の操作手順を説明するためのフロー図である。
【図９】本発明の一実施の形態に係るクリニカルコミュニケーション装置の操作手順を説明するためのフロー図である。
【図１０】本発明の一実施の形態に係るクリニカルコミュニケーション装置の操作手順を説明するためのフロー図である。
【図１１】本発明の一実施の形態に係るクリニカルコミュニケーション装置の操作の際の表示画面を示す図である。
【図１２】本発明の一実施の形態に係るクリニカルコミュニケーション装置の操作の際の表示画面を示す図である。
【図１３】本発明の一実施の形態に係るクリニカルコミュニケーション装置の操作の際の表示画面を示す図である。
【図１４】本発明の一実施の形態に係るクリニカルコミュニケーション装置の操作の際の表示画面を示す図である。
【図１５】本発明の一実施の形態に係るクリニカルコミュニケーション装置の操作の際の表示画面を示す図である。
【符号の説明】
【００５４】
１，２  クリニカルコミュニケーション装置
３  電子カルテ用データベース
４  クリニカルコミュニケータ用データベース
５，６  通信回線
１１  制御部
１２  通信制御部
１３  電子カルテ用情報抽出部
１４  クリニカルコミュニケータ用情報抽出部
１５  情報更新部
１６  表示制御部
１７  ディスプレイ
【図１】
2007249251.tif 000003
【図２】
2007249251.tif 000004
【図３】
2007249251.tif 000005
【図４】
2007249251.tif 000006
【図５】
2007249251.tif 000007
【図６】
2007249251.tif 000008
【図７】
2007249251.tif 000009
【図８】
2007249251.tif 000010
【図９】
2007249251.tif 000011
【図１０】
2007249251.tif 000012
【図１１】
2007249251.tif 000013
【図１２】
2007249251.tif 000014
【図１３】
2007249251.tif 000015
【図１４】
2007249251.tif 000016
【図１５】
2007249251.tif 000017